(57)【要約】【課題】複数の位置に切り替えて複数の使い方で共用されるハンドルの、各位置での使い勝手を向上させる。【解決手段】送りローラは、印字ヘッドおよびプラテンに対して印字対象（単票および連続紙）を移動させる。搬送部は、動力源からの駆動力が伝達される駆動軸が回転することで動作し、連続紙を搬送する。ハンドルは、送りローラを手動で回転させるに際し操作者の操作を受けるもので、送りローラの軸に取り付けられ、当該軸に沿って離間した第１位置と第２位置との間で移動可能である。第１伝達部は、ハンドルの移動に応じて移動するもので、送りローラの回転を他の部材に伝達する。第２伝達部は、ハンドルが第２位置に位置するとき第１伝達部を介して送りローラの回転を受けて当該回転を駆動軸に伝達する。第１保持部は、ハンドルを第１位置に保持する。第２保持部は、第１位置から第２位置に移動させたハンドルを第２位置に保持する。【選択図】図３
2019182637.tif 000002
【特許請求の範囲】
【請求項１】
単票と連続紙とを異なる経路で取り込んで印字対象とするプリンタであって、
前記印字対象に印字する印字ヘッドと、
前記印字ヘッドに対向し、前記印字ヘッドとの間の前記印字対象を印字位置に保持するプラテンと、
前記印字ヘッドおよび前記プラテンに対して前記印字対象を移動させる送りローラと、
動力源からの駆動力が伝達される駆動軸が回転することで動作し、前記連続紙を前記印字位置に向かって移動させる搬送部と、
前記送りローラを手動で回転させるに際し操作者の操作を受けるものであって、前記送りローラの軸に取り付けられ、当該軸に沿って離間した第１位置と第２位置との間で移動可能に設けられたハンドルと、
前記ハンドルの移動に応じて移動するものであって、前記送りローラの回転を他の部材に伝達する第１伝達部と、
前記ハンドルが前記第２位置に位置するとき前記第１伝達部を介して前記送りローラの回転を受けて当該回転を前記駆動軸に伝達する第２伝達部と、
前記ハンドルを前記第１位置に保持する第１保持部と、
前記第１位置から前記第２位置に移動させた前記ハンドルを前記第２位置に保持する第２保持部と、
を備えるプリンタ。
【請求項２】
前記第１保持部は、前記ハンドルを前記第２位置から前記第１位置に向かう方向に付勢することにより、外力が加わらないとき前記ハンドルを前記第１位置に位置させ、
前記第２保持部は、前記ハンドルを前記第１保持部の付勢に抗して前記第２位置に保持する
請求項１に記載のプリンタ。
【請求項３】
前記第１伝達部は、歯車であって、
前記第２伝達部は、前記ハンドルが前記第２位置に位置するときに、前記第１伝達部としての前記歯車が噛み合う、第２の歯車である
請求項１または２に記載のプリンタ。
【請求項４】
前記印字ヘッドは、ドットインパクトヘッドである
請求項１〜３のいずれか１つに記載のプリンタ。
【請求項５】
前記送りローラは、前記プラテンを兼ねるプラテンローラである
請求項１〜４のいずれか１つに記載のプリンタ。
【発明の詳細な説明】
【技術分野】
【０００１】
本発明の実施形態は、プリンタに関する。
【背景技術】
【０００２】
帳票に印刷するプリンタ（例えば特許文献１）には、単票および連続票（連続紙）のどちらも使用可能なものがある。そのようなプリンタは、単票用の給紙路と連続票用の給紙路とを備え、両給紙路は、印字部で合流する。
【０００３】
従来のプリンタは、給紙路や印字部などで詰まったジャム紙を取り除く際に回すハンドルを備えている。ハンドルは、印字部の辺りで印字媒体を送るローラに直結していて、ユーザがハンドルを把持して回すことによりローラが回ってジャム紙が排出方向に送られる。
【０００４】
ハンドルは、ローラの軸方向に沿って離間した第１位置と第２位置との間で移動可能に設けられていて、第１位置にある状態で回されると単票を送り、第２位置にある状態で回されると連続票を送る。
【０００５】
そのような構成のプリンタにおいて、ハンドルは、常態では第１位置または第２位置の一方（例えば第１位置）に位置するようになっていて、他方（例えば第２位置）に位置させるには、ハンドルを移動させる動作を要する。したがって、例えば連続票を送る場合には、回す都度、ハンドルを、第２位置に移動させなければならないので、煩雑である。
【発明の概要】
【発明が解決しようとする課題】
【０００６】
本発明が解決しようとする課題は、複数の位置に切り替えて複数の使い方で共用されるハンドルの、各位置での使い勝手を向上させることである。
【課題を解決するための手段】
【０００７】
実施形態のプリンタは、単票と連続紙とを異なる経路で取り込んで印字対象とするものであって、印字ヘッド、プラテン、送りローラ、搬送部、ハンドル、第１伝達部、第２伝達部、第１保持部および第２保持部を備える。印字ヘッドは、前記印字対象に印字する。プラテンは、前記印字ヘッドに対向し、前記印字ヘッドとの間の前記印字対象を印字位置に保持する。送りローラは、前記印字ヘッドおよび前記プラテンに対して前記印字対象を移動させる。搬送部は、動力源からの駆動力が伝達される駆動軸が回転することで動作し、前記連続紙を前記印字位置に向かって移動させる。ハンドルは、前記送りローラを手動で回転させるに際し操作者の操作を受けるものであって、前記送りローラの軸に取り付けられ、当該軸に沿って離間した第１位置と第２位置との間で移動可能に設けられている。第１伝達部は、前記ハンドルの移動に応じて移動するものであって、前記送りローラの回転を他の部材に伝達する。第２伝達部は、前記ハンドルが前記第２位置に位置するとき前記第１伝達部を介して前記送りローラの回転を受けて当該回転を前記駆動軸に伝達する。第１保持部は、前記ハンドルを前記第１位置に保持する。第２保持部は、前記第１位置から前記第２位置に移動させた前記ハンドルを前記第２位置に保持する。
【図面の簡単な説明】
【０００８】
【図１】図１は、第１実施形態における事務コンピュータの外観を示す斜視図である。
【図２】図２は、プリンタの構造を概略的に示す図である。
【図３】図３は、ハンドル、連動部、ストッパーおよび付勢部の構造と、第１位置における各部の状態と、を示す断面図である。
【図４】図４は、第２位置における各部の状態を示す断面図である。
【図５】図５は、ハウジングに対するストッパーの動きを示す断面図である。
【図６】図６は、第２実施形態におけるノブの構造を示す分解斜視図である。
【図７】図７は、第１位置におけるハンドルの状態を示す断面図である。
【図８】図８は、ストッパーを押し込んだ状態を示す断面図である。
【図９】図９は、第２位置におけるハンドルの状態を示す断面図である。
【発明を実施するための形態】
【０００９】
（第１実施形態）
第１実施形態について図面を用いて説明する。各図では、便宜上、事務コンピュータ１のハウジング２の幅方向をＸ方向、奥行き方向をＹ方向、高さ方向をＺ方向と記す。なお、これらＸ方向、Ｙ方向、およびＺ方向は相互に直交している。また、以下の説明では、事務コンピュータ１を使用するオペレータ（ユーザ）の視線でＹ方向の手前側を、事務コンピュータ１（またはハウジング２）の前方と記し、Ｙ方向の奥側を後方と記す。
【００１０】
図１は、本実施形態におけるプリンタを内蔵した事務コンピュータ１の外観を示す斜視図である。事務コンピュータ１は、帳票の入力機能および入力した帳票の印字発行機能を有している。当該印字発行機能は、事務コンピュータ１に内蔵されたプリンタが担う。
【００１１】
ここで、帳票は、複数枚の印字媒体が重ねられたもので、帳票に印字するプリンタは、一度の印字動作で、各印字媒体に同内容を複写する。帳票には、単票と連続票（連続紙の一例）とがある。単票は１部ずつ切断されたもので、連続票は複数部が連なったものである。
【００１２】
事務コンピュータ１は、ハウジング２、表示部３、操作部４、プリンタ５、ディスクドライブ６、制御部７、記憶部８などを備えている。ハウジング２は、プリンタ５、ディスクドライブ６、制御部７、記憶部８などの各部を収納するものであって、側方から見てほぼ台形状に形成されている。
【００１３】
表示部３は、例えば液晶表示器であって、ハウジング２の前面に設けられている。表示部３は、帳票の入力フォーマットの画面を表示する。操作部４は、キーボード４１、タッチパネル４２、マウス４３を備えている。
【００１４】
キーボード４１は、テンキー、文字キー、ファンクションキー等が配列されたもので、ハウジング２の前面下部に置かれて用いられる。キーボード４１は、ハウジング２と独立して構成されており、ハウジング２に対して自由に動かすことができる。なお、キーボード４１は、ハウジング２と固定的または一体的に構成されていてもよい。
【００１５】
タッチパネル４２は、表示部３の表示面に重ねて設けられている。タッチパネル４２は、触れられた位置に対応する信号を出力することで、当該触れられた位置における表示部３の表示内容に応じた操作を受け付ける。なお、以降、タッチパネル４２を用いた操作については、「表示部３に表示されたキーを操作する」のように簡略化して説明する。
【００１６】
マウス４３は、ポインティングデバイスの一種であって、机上面等との相対的な動きを画面内のポインタの動きに反映させ、ポインタが表示されている位置における表示部３の表示内容に応じた操作を受け付ける。
【００１７】
ディスクドライブ６は、補助記憶装置の一種であり、ハウジング２の前面から内部に挿入された円盤状のメディア（ＣＤ（Compact  Disc）、ＤＶＤ（Digital  Video  Disc）、ＢＤ（Blue-ray  Disc）等）を回転させて光学的に情報を読み取る。なお、ディスクドライブ６が、メディアに対し光学的に情報を書き込む機能を有していてもよい。
【００１８】
制御部７は、ＣＰＵ（Central  Processing  Unit）、ＲＯＭ（Read  Only  Memory）およびＲＡＭ（Random  Access  Memory）で構成されていて、各部を制御する。記憶部８は、電源を切っても記憶情報が保持されるＨＤＤ（Hard  Disc  Drive）やフラッシュメモリ等の不揮発性メモリで構成されていて、各種プログラムを記憶する。制御部７は、ＣＰＵが、ＲＯＭや記憶部８に記憶されているプログラムをＲＡＭに展開し、当該プログラムに従って動作することによって、各種制御処理を実行する。
【００１９】
図２は、プリンタ５の構造を概略的に示す図である。プリンタ５は、前述の通りハウジング２に内蔵されていて、図２は、ハウジング２内を側面視した図である。図２中の左側がハウジング２の前側で、図２中の右側がハウジング２の後側である。
【００２０】
プリンタ５は、第一給紙部５１、第二給紙部５２、印字部５３、送りローラ５４、排紙部５５などを備えている。
【００２１】
第一給紙部５１は、搬送路５１１、引込ローラ５１２、給紙ローラ５１３などを備え、単票を取り込む。搬送路５１１は、ハウジング２の前面に設けられた給紙口２１（図１参照）から取り込まれた単票が通る印字部５３までの経路である。引込ローラ５１２は、一対のローラであって、給紙口２１に差し込まれた単票を、所定のタイミングで搬送路５１１に引き込む。給紙ローラ５１３は、一対のローラであって、引込ローラ５１２で引き込まれた単票の搬送を引き継いでさらに送り込む。引込ローラ５１２および給紙ローラ５１３の稼働タイミングは、制御部７の制御に従う。
【００２２】
第二給紙部５２は、搬送路５２１、トラクタ５２２などを備え、連続票を取り込む。搬送路５２１は、ハウジング２の背面に設けられた給紙口から取り込まれた連続票が通る印字部５３までの経路である。連続票は、帳票が帯状に連なったもので、長手方向に所定間隔をあけて連なる孔を、両側部に有している。
【００２３】
トラクタ５２２は、ピンベルト５２２１、駆動軸５２２２、従動軸５２２３，５２２４などを備えている。駆動軸５２２２は、動力源からの駆動力が伝達される駆動軸の一例である。トラクタ５２２は、第二給紙部５２で取り込まれた連続票を印字位置に向かって移動させる搬送部の一例であって、送りローラ５４に平行に設けられた駆動軸５２２２が回転することで動作する。
【００２４】
ピンベルト５２２１は、長手方向に沿って所定間隔をあけて連続して設けられた突起を備えたエンドレス（無端）ベルトである。ピンベルト５２２１は連続票の両側部に対応する位置に配置され、ピンベルト５２２１の突起は、連続票の両側部の孔に対応するよう設けられている。駆動軸５２２２および従動軸５２２３，５２２４は、ピンベルト５２２１を内側から支え、適切な張力で張った状態に保つ。駆動軸５２２２は、モータなどの動力源の駆動力を伝達されて回転し、ピンベルト５２２１を回転させる。このようなトラクタ５２２は、ピンベルト５２２１の突起に両側部の孔が嵌った状態の連続票を、ピンベルト５２２１を回転させることで、印字部５３へ向けて送り込む。駆動軸５２２２の稼働タイミングは、制御部７の制御に従う。
【００２５】
印字部５３は、印字ヘッド５３１、プラテン５３２などを備えている。印字ヘッド５３１は、例えばドットインパクトヘッドであって、印字位置にある印字対象に印字する。プラテン５３２は、印字ヘッド５３１に対向し、印字対象を印字ヘッド５３１との間に挟んで、印字位置に保持する。印字部５３は、制御部７の制御に従い、印字ヘッド５３１とプラテン５３２との間の帳票（単票または連続票）に印字する。なお、印字ヘッド５３１がドットインパクトヘッドである場合、帳票としては、感圧紙や、カーボン複写紙が用いられる。
【００２６】
送りローラ５４は、印字部５３に最も近い位置に配置されている一対のローラであって、第一給紙部５１および第二給紙部５２で送り込まれた帳票を、印字部５３に対して、適切なタイミングで、移動させる。送りローラ５４の稼働タイミングは、制御部７の制御に従う。
【００２７】
排紙部５５は、搬送路５５１、排紙ローラ５５２などを備えている。搬送路５５１は、印字部５３を経た単票および連続票が通る、ハウジング２の天面に設けられた排紙口２２（図１参照）までの経路である。排紙ローラ５５２は、搬送路５５１を挟んで対向する一対のローラであって、搬送路５５１を通る単票および連続票を、排紙口２２へ送る。なお、排紙ローラ５５２は、送りローラ５４と連れ回りする。つまり、送りローラ５４と排紙ローラ５５２とは、ギヤやベルトなどで動きを伝達されて、互いに同期した搬送動作を行う。
【００２８】
ここで、制御部７は、複数種類の動作モードを備え、ユーザの選択操作に応じて、いずれかの動作モードを実行する。動作モードは、例えば「単票モード」および「連続票モード」である。単票モードは、単票の印字発行に適する動作を行うモードである。連続票モードは、連続票の印字発行に適する動作を行うモードである。
【００２９】
単票モードの実行中、制御部７は、印字部５３の印字動作に合わせて、送りローラ５４および給紙ローラ５１３を回転させる。連続票モードの実行中、制御部７は、印字部５３の印字動作に合わせて、送りローラ５４およびトラクタ５２２の駆動軸５２２２を回転させる。
【００３０】
事務コンピュータ１は、ハウジング２の右側部に、ハンドル９と、図３および図４に示す、連動部１０、ストッパー１１および付勢部１２を、さらに備えている。図３は、各部（ハンドル９、連動部１０、ストッパー１１および付勢部１２）の構造と、第１位置における各部の状態と、を示す断面図である。また、図４は、各部の構造と第２位置における状態とを示す断面図である。
【００３１】
ハンドル９は、送りローラ５４を手動で回転させるためのものであって、印字部５３における紙詰まりに対処する際に用いる。ハンドル９は、ノブ９１および接続部９２を備えている。また、連動部１０は、第一ギヤ１０１および第二ギヤ１０２を備えている。
【００３２】
ハンドル９は、送りローラ５４を手動で回転させるに際し操作者の操作を受けるものであって、送りローラ５４の軸５４１に取り付けられ、当該軸５４１の長手方向に沿って離間した第１位置と第２位置との間で移動可能に、設けられている。
【００３３】
第一ギヤ１０１は、ハンドル９の移動に応じて移動する歯車であって、ハンドル９が第２位置に位置するとき軸５４１の回転を他の部材（本実施形態では第二ギヤ１０２）に伝達する、第１伝達部の一例である。第二ギヤ１０２は、駆動軸５２２２に取り付けられた歯車であって、ハンドル９が第２位置にあるとき第一ギヤ１０１を介して軸５４１の回転を受けて当該回転を駆動軸５２２２に伝達する、第２伝達部の一例である。
【００３４】
接続部９２は、送りローラ５４の軸５４１を保持する部分である。接続部９２を含むハンドル９と軸５４１とは、互いに回転不可能である。また、接続部９２を含むハンドル９は、軸５４１に対して、軸５４１の軸方向に沿った所定の範囲でスライド移動可能である。当該スライド移動の範囲の両端の一方を第１位置、他方を第２位置とする。第１位置は、スライド範囲のうち、ハウジング２から離れる方向に最も移動した位置であり、第２位置は、ハウジング２に押し込まれる方向に最も移動した位置である。
【００３５】
付勢部１２は、ハンドル９を第１位置に保持する第１保持部の、一例である。付勢部１２は、例えば弦巻ばねであって、ハンドル９を、ハウジング２の外側へ向かう方向（図３中における右方向）に付勢する。これにより、ユーザによる力（外力）が加わらない状態では、ハンドル９は、第１位置に位置する。
【００３６】
接続部９２は、軸５４１が取り付けられる部分９２１、第一ギヤ１０１が取り付けられる部分９２２、第一ギヤ１０１を位置決めし且つハウジング２からの抜け止めとして機能する部分９２３とを有している。部分９２３の第一ギヤ１０１に接する側の反対側に、ノブ９１が取り付けられる。
【００３７】
ノブ９１は、径が大きい部分である大径部９１１と、径が小さい部分である小径部９１２と、を有している。小径部９１２は、大径部９１１のハウジング２に向いた側から突出した部分で、接続部９２が取り付けられる。大径部９１１は、ハンドル９を操作するユーザが握る部分である。
【００３８】
ハウジング２は、ハンドル９が配置される部分に、突出部２３を有し、突出部２３の中央部に、孔２３１を有している。この孔２３１を、小径部９１２が貫通する。大径部９１１は、外周部で突出部２３の周囲を覆うようにハウジング２側に湾曲した形状に、形成されている。
【００３９】
ストッパー１１は、ハンドル９に設けられ、第１位置から第２位置に移動させたハンドル９を第２位置に保持する第２保持部の、一例である。ストッパー１１は、略Ｕ字型をなし、中央部の湾曲部分である頭部１１１と、両端部の係合端１１２と、頭部１１１と係合端１１２との間のばね部１１３と、を有している。ストッパー１１は、例えば樹脂をモールド成形したもので、頭部１１１およびばね部１１３は、弾性的に湾曲可能な形状に形成された部分である。ストッパー１１は、小径部９１２に設けられた取付孔９１４に嵌め込まれて、頭部１１１を、大径部９１１の中央部に設けられた凹部９１３内に、突出させている。
【００４０】
図５は、ハウジング２に対するストッパー１１の動きを示す断面図である。ハンドル９は、図３に示す第１位置から図４に示す第２位置に至るまでの間に、図５に（ａ），（ｂ），（ｃ）で示す第１，第２，第３段階（初期，中期，終期）の動作を経る。ストッパー１１の係合端１１２およびばね部１１３は、付勢部１２の付勢に抗してハンドル９がハウジング２側に押し込まれることにより、図５に示すように動作する。
【００４１】
第１段階で、係合端１１２の先端部の斜面１１２１は、孔２３１の縁に接する。第２段階で、孔２３１の縁に斜面１１２１が摺動することにより斜面１１２１の末端１１２２が互いに近づく方向に移動し、末端１１２２が孔２３１の内周面に接する。そして第３段階で、末端１１２２が孔２３１を突き抜けて突出部２３の内側に至る。なお、第１〜第２段階では、ばね部１１３が曲がることにより、末端１１２２が互いに近づく方向に移動する。また、第３段階では、末端１１２２の位置が孔２３１によって規制されなくなるので、ばね部１１３のばね性により、ストッパー１１は元の形状に復帰する。また、この第３段階に至って、ストッパー１１と孔２３１との係合が抜け止めとなって、ハンドル９が第２位置に保持される。
【００４２】
頭部１１１は、ユーザが摘む部分である。頭部１１１が摘まれることにより、一対の係合端１１２同士は近づくようにストッパー１１が変形する。これにより、末端１１２２が互いに近づく方向に移動し、末端１１２２同士の間隔が孔２３１の径より小さくなると、係合端１１２を孔２３１から引き抜き可能になる。そして、付勢部１２の付勢により、ハンドル９が押し出され、第１位置に至って保持される。
【００４３】
このような構成において、ユーザは、単票のジャムが発生した場合、第１位置にあるハンドル９を把持して送りローラ５４を回転させることにより、ジャム紙を排紙口２２から排出させる。
また、ユーザは、連続票のジャムが発生した場合、まず、ハンドル９をハウジング２側に押し込んで第２位置に位置させ、その後に、ハンドル９を把持して送りローラ５４を回転させることにより、ジャム紙を排紙口２２から排出させる。ハンドル９が第２位置にあるとき、第一ギヤ１０１および第二ギヤ１０２を介して、送りローラ５４の回転が駆動軸５２２２に伝達されて、トラクタ５２２が連続票を送る。
【００４４】
このように、本実施形態によれば、複数の位置に切り替えて複数の使い方で共用されるハンドル９の、各位置での使い勝手を向上させることができる。つまり、ハンドル９を第２位置に位置させたときに、ストッパー１１によりハンドル９の位置が保持されるので、ユーザが手を離してもハンドル９が第１位置に戻ることがない。このため、第２位置でのハンドル９操作を行うとき、手を離す都度ハンドル９を押し込むという煩雑な動作を省くことができる。
【００４５】
また、本実施形態によれば、ストッパー１１の頭部１１１を摘まむだけで、ストッパー１１による位置保持を解除でき、簡便である。
【００４６】
なお、本実施形態では、第１伝達部および第２伝達部を、ハンドル９に取り付けられた第一ギヤ１０１および駆動軸５２２２に取り付けられた第二ギヤ１０２としているが、実施にあたっては、第１伝達部や第２伝達部が、ギヤ以外の部材によって実現されていてもよいし、各々複数の部材の組み合わせで実現されていてもよい。
【００４７】
また、本実施形態では、付勢部１２を第１保持部の一例として説明したが、実施にあたっては、第１保持部は、付勢部でなくとも、ハンドル９を第１位置にて保持できるものであれば構わない。例えば、第１保持部は、第１位置においてストッパー１１と係合する部分を有する部材であってもよい。
【００４８】
さらに、本実施形態では、トラクタ５２２を搬送部の一例として説明したが、実施にあたっては、搬送部はトラクタに限らない。
【００４９】
また、本実施形態では、送りローラ５４とプラテン５３２とが別体であるが、実施にあたって、送りローラ５４が、プラテンとしても機能する（プラテンを兼ねる）プラテンローラであってもよい。さらに、実施にあたって、印字ヘッド５３１は、ドットインパクトヘッドでなく他の印字方式の印字ヘッド（例えばサーマルヘッドなど）であってもよい。
【００５０】
（第２実施形態）
第２実施形態について図面を用いて説明する。本実施形態は、第１実施形態の変形例である。本実施形態においては、第１実施形態からの変更点についてのみ説明し、共通点についての説明を省略する。本実施形態は、第１実施形態においてはストッパー１１を例に説明した第２保持部を、ストッパー１３に変更している。
【００５１】
図６は、本実施形態におけるノブ９１Ａの構造を示す分解斜視図である。ストッパー１３は、ノブ９１Ａの外周部の中央部を挟んで対向する二箇所に設けられた切欠部９１５に嵌め込まれる。ストッパー１３は、切欠部９１５に嵌め込まれた状態でノブ９１Ａの外周部に一致する外側部１３１と、当該外側部１３１の内側に位置して対向する内側部１３２とを有している。外側部１３１と内側部１３２とは、一体化されている。また、ストッパー１３は、内側部１３２と小径部９１２との間に挟まれる付勢部１３３をさらに備えている。付勢部１３３は、例えば弦巻ばねである。
【００５２】
図７は、第１位置におけるハンドル９Ａの状態を示す断面図である。内側部１３２の先端は、第２位置において孔２３１の縁に引っかかる鉤状の形状を有する係合端１３２１が設けられている。また、内側部１３２は、孔１３２２を有している。孔１３２２には、小径部９１２の外周面から外向きに径方向に沿って突出した軸状の支持部９１６が、貫通する。
【００５３】
このような構成のノブ９１Ａにおいて、ストッパー１３は、支持部９１６の長手方向に沿って、つまりノブ９１Ａの径方向に沿って、移動可能である。また、ストッパー１３は、ユーザが力を加えない状態では、付勢部１３３で付勢されて、外側部１３１がノブ９１Ａの外周部に一致する位置に位置する。
【００５４】
図８は、ストッパー１３を押し込んだ状態を示す断面図である。ユーザが、ノブ９１Ａの中央部に向かってストッパー１３を押し込み、その状態のままさらに、付勢部１２の付勢に抗してハンドル９Ａをハウジング２に押し込んで、ストッパー１３を離すと、ハンドル９は図９に示す状態になる。図９は、第２位置におけるハンドル９Ａの状態を示す断面図である。
【００５５】
ハンドル９Ａを第１位置に復帰させるにあたってのユーザは、ノブ９１Ａの中央部に向かってストッパー１３を押し込み、付勢部１２の付勢に従ってハンドル９Ａが押し出されるに任せ、ハンドル９Ａが第１位置に復帰したところでストッパー１３を離す。
【００５６】
なお、本実施形態においても、内側部１３２は、先端部から係合端１３２１に至る斜面１３２３を有している。このため、ユーザは、当該斜面１３２３を孔２３１の縁に摺動させながらハンドル９Ａを押し込むようにしても、ハンドル９Ａを第２位置に移動させることが可能である。
【００５７】
このように、第２実施形態によっても、第１実施形態と同様の効果を奏することが可能である。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１  …事務コンピュータ
２  …ハウジング、２１…給紙口、２２…排紙口、２３…突出部、２３１…孔
３  …表示部
４  …操作部、４１…キーボード、４２…タッチパネル、４３…マウス
５  …プリンタ
５１…第一給紙部、５１１…搬送路、５１２…引込ローラ、５１３…給紙ローラ
５２…第二給紙部、５２１…搬送路、５２２…トラクタ（搬送部）
５２２１…ピンベルト、５２２２…駆動軸、５２２３，５２２４…従動軸
５３…印字部、５３１…印字ヘッド、５３２…プラテン
５４…送りローラ、５４１…軸
５５…排紙部、５５１…搬送路、５５２…排紙ローラ
６  …ディスクドライブ
７  …制御部
８  …記憶部
９  …ハンドル
９１…ノブ、９１１…大径部、９１２…小径部、９１３…凹部、９１４…取付孔
９２…接続部、９２１〜９２３…部分
１０…連動部、１０１…第一ギヤ（第１伝達部）、１０２…第二ギヤ（第２伝達部）
１１…ストッパー（第２保持部）、１１１…頭部、１１２…係合端、１１３…ばね部
１１２１…斜面、１１２２…末端
１２…付勢部（第１保持部）
９Ａ…ハンドル
９１Ａ…ノブ、９１５…切欠部、９１６…支持部
１３…ストッパー（第２保持部）、１３１…外側部、１３２…内側部、１３３…付勢部
１３２１…係合端、１３２２…孔、１３２３…斜面
【先行技術文献】
【特許文献】
【００６０】
【特許文献１】特開２０１３−６６９８号公報
【図１】
2019182637.tif 000003
【図２】
2019182637.tif 000004
【図３】
2019182637.tif 000005
【図４】
2019182637.tif 000006
【図５】
2019182637.tif 000007
【図６】
2019182637.tif 000008
【図７】
2019182637.tif 000009
【図８】
2019182637.tif 000010
【図９】
2019182637.tif 000011